(57)【要約】【課題】樹脂成形体や被取付部材の構造を従来よりも簡素化する。【解決手段】複数の突出歯部が形成される輪状鉄心と樹脂成形により一体化されるとともに、輪状鉄心の外周部よりも径方向外側に突出する複数の樹脂製の取付部１３が形成される樹脂成形体１５を有するレゾルバステータを被取付部材３０に取り付ける構造であり、複数の取付部１３には、貫通孔２１ａ，２３ａを有する金属製の取付カラー２１，２３が設けられ、取付カラー２３には段差２３ｂと位置決め用のピン部２３ｅとが形成される。レゾルバステータは、取付カラー２３のピン部２３ｅを台座部３１の位置決め孔３４に挿入することにより被取付部材３０に位置決めされるとともに、取付カラー２１，２３の貫通孔２１ａ，２３ａを通して台座部３１のネジ孔３２，３３に螺合するボルト３５の締め付けにより被取付部材３０に固定される。【選択図】図５
2020088946.tif 000002
【特許請求の範囲】
【請求項１】
複数の突出歯部が形成される輪状鉄心と、前記輪状鉄心と一体化されるとともに、前記輪状鉄心の外周部よりも径方向外側に突出する複数の樹脂製の取付部が形成される樹脂成形体と、を有するレゾルバステータを被取付部材に取り付けるためのレゾルバステータの取付構造であって、
前記複数の取付部には、それぞれ取付用の貫通孔を有する金属製の取付カラーが設けられ、
前記複数の取付部のうち２つの取付部に設けられる前記取付カラーの外周面には、大径部と小径部とによって段差が設けられるとともに、前記小径部によって位置決め用のピン部が形成され、
前記被取付部材には、前記複数の取付部に対応する位置にそれぞれネジ孔が形成されるとともに、前記２つの取付部に対応する位置に位置決め孔が形成され、
前記レゾルバステータは、前記ピン部を前記位置決め孔に挿入することにより前記被取付部材に位置決めされるとともに、前記貫通孔を通して前記ネジ孔に螺合する螺合部材の締め付けにより前記被取付部材に固定される
ことを特徴とするレゾルバステータの取付構造。
【請求項２】
複数の突出歯部が形成される輪状鉄心と、前記輪状鉄心と一体化されるとともに、前記輪状鉄心の外周部よりも径方向外側に突出する複数の樹脂製の取付部が形成される樹脂成形体と、を有するレゾルバステータであって、
前記複数の取付部には、それぞれ取付用の貫通孔を有する金属製の取付カラーが設けられ、
前記複数の取付部のうち２つの取付部に設けられる前記取付カラーの外周面には、大径部と小径部とによって段差が設けられるとともに、前記小径部によって位置決め用のピン部が形成されている
ことを特徴とするレゾルバステータ。
【発明の詳細な説明】
【技術分野】
【０００１】
本発明は、レゾルバステータを被取付部材に取り付ける際に適用される、レゾルバステータの取付構造、およびレゾルバステータに関する。
【背景技術】
【０００２】
モータの回転角度を検出するためにレゾルバが用いられている。レゾルバは、レゾルバロータとレゾルバステータとを備える。レゾルバステータは、ケースなどの被取付部材にボルトを用いて固定される。レゾルバステータの取付構造に関しては、たとえば、特許文献１に記載された構造が知られている。
【０００３】
図６は、従来のレゾルバステータの構造を示す平面図である。また、図７は、図６のＡ−Ａ断面図であり、図８は、図６のＢ−Ｂ断面図である。
図６〜図８に示すように、レゾルバステータ１０は、複数の突出歯部１１を一体に有する輪状鉄心１２と、複数の取付部１３および複数の位置決め部１４を一体に有する樹脂成形体１５と、絶縁性の巻線カバー１６とを備えている。複数の突出歯部１１は、円周方向に所定の角度間隔で配置されるとともに、輪状鉄心１２の内周縁から径方向内側に突出して形成されている。複数の突出歯部１１には、それぞれ樹脂成形体１５の樹脂層（図示せず）を介してコイルが巻かれている。また、巻線カバー１６は、そのコイルの巻線部を覆うように設けられる。
【０００４】
樹脂成形体１５は、輪状鉄心１２と一体化されている。樹脂成形体１５は、輪状鉄心１２をインサート品とした樹脂の一体成形、すなわちインサート成形により形成されている。ただし、複数の突出歯部１１は、すべてが樹脂成形体１５に埋設されることなく、その先端部および外周がそれぞれ外部に露出している。複数の取付部１３および複数の位置決め部１４は、それぞれ輪状鉄心１２の外周部よりも径方向外側に突出して配置されている。複数の取付部１３には、それぞれ図８に示すように、金属製の取付カラー２１がインサート成形によって埋設されている。複数の位置決め部１４には、それぞれ図７に示すように、位置決め用の樹脂ピン２２が形成されている。
【０００５】
上記構成からなるレゾルバステータ１０は、図示はしないが、ボルトを用いて被取付部材に取り付けられる。その際、位置決め部１４の樹脂ピン２２は、被取付部材に設けられる位置決め孔に挿入される。また、取付部１３の取付カラー２１には、ボルトの雄ネジが挿入され、この雄ネジが、被取付部材に設けられるネジ孔にねじ込まれる。そして、各々の取付部１３において、ボルトを適度な力で締め付けることにより、レゾルバステータ１０が被取付部材に固定される。その際、樹脂製の取付部１３に金属製の取付カラー２１を設けておくことにより、ボルトの締め付け力を取付カラー２１で受けることができるため、ボルトの締め付けによる取付部１３の変形やダメージを避けることができる。
【先行技術文献】
【特許文献】
【０００６】
【特許文献１】特開２０１３−９３９８５号公報
【発明の概要】
【発明が解決しようとする課題】
【０００７】
しかしながら、従来においては、被取付部材にレゾルバステータ１０を固定するための取付部１３と、被取付部材にレゾルバステータ１０を位置決めするための位置決め部１４とが、樹脂成形体１５の外周部に別々に設けられている。このため、レゾルバステータ１０が取り付けられる被取付部材にも、複数の取付部１３に対応する位置にそれぞれネジ孔を形成し、かつ、複数の位置決め部１４に対応する位置にそれぞれ位置決め孔を形成する必要がある。したがって、樹脂成形体１５や被取付部材の構造が複雑になるという課題があった。
【０００８】
本発明は、上記課題を解決するためになされたものであって、その目的は、樹脂成形体や被取付部材の構造を簡素化することができる、レゾルバステータの取付構造、およびレゾルバステータを提供することにある。
【課題を解決するための手段】
【０００９】
本発明は、複数の突出歯部が形成される輪状鉄心と、輪状鉄心と一体化されるとともに、輪状鉄心の外周部よりも径方向外側に突出する複数の樹脂製の取付部が形成される樹脂成形体と、を有するレゾルバステータを被取付部材に取り付けるためのレゾルバステータの取付構造であって、複数の取付部には、それぞれ取付用の貫通孔を有する金属製の取付カラーが設けられ、複数の取付部のうち２つの取付部に設けられる取付カラーの外周面には、大径部と小径部とによって段差が設けられるとともに、小径部によって位置決め用のピン部が形成され、被取付部材には、複数の取付部に対応する位置にそれぞれネジ孔が形成されるとともに、２つの取付部に対応する位置に位置決め孔が形成され、レゾルバステータは、ピン部を位置決め孔に挿入することにより被取付部材に位置決めされるとともに、貫通孔を通してネジ孔に螺合する螺合部材の締め付けにより被取付部材に固定される。
【００１０】
また、本発明は、複数の突出歯部が形成される輪状鉄心と、輪状鉄心と一体化されるとともに、輪状鉄心の外周部よりも径方向外側に突出する複数の樹脂製の取付部が形成される樹脂成形体と、を有するレゾルバステータであって、複数の取付部には、それぞれ取付用の貫通孔を有する金属製の取付カラーが設けられ、複数の取付部のうち２つの取付部に設けられる取付カラーの外周面には、大径部と小径部とによって段差が設けられるとともに、小径部によって位置決め用のピン部が形成されている。
【発明の効果】
【００１１】
本発明によれば、段差付きの取付カラーに形成される位置決め用のピン部によってレゾルバステータを被取付部材に位置決めすることができる。このため、樹脂成形体や被取付部材の構造を簡素化することができる。
【図面の簡単な説明】
【００１２】
【図１】実施の形態に係るレゾルバステータの構造を示す正面図である。
【図２】図１のＩＩ−ＩＩ断面図である。
【図３】図１のＩＩＩ−ＩＩＩ断面図である。
【図４】レゾルバステータが取り付けられる被取付部材と樹脂成形体との位置関係を示す断面図である。
【図５】レゾルバステータが備える樹脂成形体を被取付部材に固定した状態を示す断面図である。
【図６】従来のレゾルバステータの構造を示す平面図である。
【図７】図６のＡ−Ａ断面図である。
【図８】図６のＢ−Ｂ断面図である。
【発明を実施するための形態】
【００１３】
以下、本発明の実施の形態について図面を参照して詳細に説明する。
なお、本実施の形態においては、従来例で挙げた構成部分と同一または対応する部分に同じ符号を付し、重複する説明は省略する。
【００１４】
図１は、本実施の形態に係るレゾルバステータの構造を示す正面図である。また、図２は、図１のＩＩ−ＩＩ断面図であり、図３は、図１のＩＩＩ−ＩＩＩ断面図である。
図１に示すように、レゾルバステータ１０は、複数の突出歯部１１を一体に有する輪状鉄心１２と、複数の取付部１３を一体に有する樹脂成形体１５と、絶縁性の巻線カバー１６とを備えており、この点は従来のレゾルバステータ１０（図６参照）と同様である。ただし、従来のレゾルバステータ１０では、樹脂成形体１５が複数の位置決め部１４を有していたが、本実施の形態に係るレゾルバステータ１０では、樹脂成形体１５が複数の位置決め部１４を有していない。
【００１５】
樹脂成形体１５は３つの樹脂製の取付部１３を一体に有している。樹脂成形体１５は、全体的に輪状に形成されている。３つの取付部１３は、円周方向に均等な角度間隔で配置されている。また、各々の取付部１３は、樹脂成形体１５の外周部において径方向外側に突出して配置されている。３つの取付部１３のうち、１つの取付部１３にはインサート成形によって金属製の取付カラー２１が埋設され、２つの取付部１３にもそれぞれインサート成形によって金属製の取付カラー２３が埋設されている。取付カラー２１には取付用の貫通孔２１ａが形成され、取付カラー２３にも取付用の貫通孔２３ａが形成されている。ただし、取付カラー２１の構造と取付カラー２３の構造は互いに異なっている。以下、詳しく説明する。
【００１６】
まず、取付カラー２１は、図２に示すように円筒状に形成されている。取付カラー２１の外径および内径は、いずれも、取付カラー２１の中心軸方向で一様な寸法に設定されている。また、取付カラー２１の厚み寸法は、取付部１３の厚み寸法と同等の寸法に設定されている。
【００１７】
一方、取付カラー２３は、図３に示すように、段差２３ｂを有する円筒状に形成されている。取付カラー２３の内径は、取付カラー２３の中心軸方向で一様な寸法に設定されているが、取付カラー２３の外径は、取付カラー２３の中心軸方向の途中で変化している。これにより、取付カラー２３の外周面には、大径部２３ｃと小径部２３ｄとが存在し、それらの境界に段差２３ｂが設けられている。大径部２３ｃは、取付部１３に埋め込まれている。小径部２３ｄは、取付部１３において厚み方向に突出している。そして、この小径部２３ｄによって位置決め用のピン部２３ｅが形成されている。
【００１８】
図４は、レゾルバステータが取り付けられる被取付部材と樹脂成形体との位置関係を示す断面図である。
図４に示すように、被取付部材３０には、樹脂成形体１５の取付部１３に対応する位置に台座部３１が設けられている。被取付部材３０は、たとえば、モータやレゾルバを収納するケースによって構成される。取付カラー２１を有する取付部１３に対応する台座部３１には、ネジ孔３２が設けられている。一方、取付カラー２３を有する取付部１３に対応する台座部３１には、ネジ孔３３と位置決め孔３４とが設けられている。位置決め孔３４の内径は、取付カラー２３のピン部２３ｅの外径よりも僅かに大きく設定されている。位置決め孔３４の深さ寸法は、ピン部２３ｅの長さ寸法よりも大きく設定されている。
【００１９】
上記構成からなる樹脂成形体１５を有するレゾルバステータを被取付部材３０に取り付ける場合は、まず、被取付部材３０の台座部３１の上に樹脂成形体１５を載置する。このとき、取付カラー２３のピン部２３ｅを台座部３１の位置決め孔３４に挿入する。これにより、樹脂成形体１５を有するレゾルバステータが被取付部材３０に位置決めされる。
【００２０】
次に、図５に示すように、螺合部材としてのボルト３５を用いて樹脂成形体１５を被取付部材３０に固定する。ボルト３５は、樹脂成形体１５の３つの取付部１３にそれぞれ１つずつ取り付けられる。その際、取付カラー２１が設けられた取付部１３では、取付カラー２１の貫通孔２１ａを通して台座部３１のネジ孔３２にボルト３５の雄ネジ３５ａを螺合させる。また、取付カラー２３が設けられた取付部１３では、取付カラー２３の貫通孔２３ａを通して台座部３１のネジ孔３３にボルト３５の雄ネジ３５ａを螺合させる。そして、各々のボルト３５を適度な力で締め付ける。これにより、樹脂成形体１５を有するレゾルバステータが被取付部材３０に固定される。
【００２１】
本実施の形態においては、樹脂成形体１５が備える３つの取付部１３のうち、２つの取付部１３にそれぞれ取付カラー２３を設けるとともに、この取付カラー２３に大径部２３ｃと小径部２３ｄとによって段差２３ｂを形成し、かつ、小径部２３ｄによって位置決め用のピン部２３ｅを形成している。これにより、取付カラー２３には、レゾルバステータを被取付部材３０に取り付けるための機能と、レゾルバステータを被取付部材３０に位置決めするための機能とを持たせることができる。このため、樹脂成形体１５に位置決め部１４（図６参照）や樹脂ピン２２（図７参照）を設けなくても、レゾルバステータを被取付部材３０に位置決めして取り付けることができる。したがって、樹脂成形体１５や被取付部材３０の構造を簡素化することができる。また、樹脂成形体１５の構造の簡素化により、インサート成形に用いる金型の加工工程を減らすことができる。また、被取付部材３０の構造の簡素化により、被取付部材３０の加工工程を減らすことができる。また、従来においては、３つの取付部１３と２つの位置決め部１４とを含む合計５つの出っ張り部分を樹脂成形体１５の外周部に設ける必要があるが、本実施の形態においては、位置決め部１４が不要になるため、その分だけ出っ張り部分の数を減らすことができる。これにより、被取付部材３０にレゾルバステータを配置する際のレイアウト性を向上させることができる。
【００２２】
なお、上記実施の形態においては、樹脂成形体１５に３つの取付部１３を設けたが、樹脂成形体１５に設ける取付部１３の数は２つあるいは４つ以上であってもよい。取付部１３の数が２つの場合は、すべての取付部１３に取付カラー２３が設けられる。また、取付部１３の数が４つ以上の場合は、そのうち２つの取付部１３にそれぞれ取付カラー２３が設けられる。
【符号の説明】
【００２３】
１０  レゾルバステータ
１３  取付部
１５  樹脂成形体
２１，２３  取付カラー
２１ａ，２３ａ  貫通孔
２３ｂ  段差
２３ｃ  大径部
２３ｄ  小径部
２３ｅ  ピン部
３０  被取付部材
３５  ボルト（螺合部材）
【図１】
2020088946.tif 000003
【図２】
2020088946.tif 000004
【図３】
2020088946.tif 000005
【図４】
2020088946.tif 000006
【図５】
2020088946.tif 000007
【図６】
2020088946.tif 000008
【図７】
2020088946.tif 000009
【図８】
2020088946.tif 000010